(57)【要約】【課題】紫外光が外部へ漏れるのを防止することができる照明装置及び顕微鏡装置を提供する。【解決手段】観察対象物を観察する顕微鏡本体に接続可能であり、光源の照明光を顕微鏡本体に導くライトガイドＯＦと顕微鏡本体との接続状態が解除されたとき、ライトガイドＯＦの光路を遮断する弾性を有する樹脂製遮光部材２６をライトガイドＯＦの一端部に設けた。遮光部材２６は弾性を有する樹脂製基材の表面に配向性グラファイトシートを接合して構成した。【選択図】図２
2009271507.tif 000002
【特許請求の範囲】
【請求項１】
観察対象物を観察する観察手段に接続可能であり、光源の照明光を前記観察手段に導くライトガイドと、
前記ライトガイドと前記観察手段との接続状態が解除されたとき、前記ライトガイドの光路を遮断する弾性を有する樹脂製遮光手段とを備え、
前記遮光手段は、弾性を有する樹脂製基材の表面に配向性グラファイトシートまたは結晶性カーボンシートが接合されて構成されている
ことを特徴とする照明装置。
【請求項２】
前記ライトガイドと前記観察手段との接続状態を検知する検知手段と、前記検知手段の検知結果に基いて前記光源の出力又は遮光手段を制御する出力制御手段を備えていることを特徴とする請求項１記載の照明装置。
【請求項３】
光源を有する照明手段と、
観察対象物を観察する観察手段と、
前記光源の照明光を前記観察手段に導くライトガイドと
を備えている顕微鏡装置において、
前記ライトガイドの一端部に設けられ、前記ライトガイドが前記観察手段に接続されているとき、前記ライトガイドの光路を開き、前記ライトガイドが前記観察手段に接続されていないとき、前記ライトガイドの光路を遮断する弾性を有する樹脂製遮光手段と、
前記観察手段に設けられ、前記ライトガイドを前記観察手段に接続したとき、前記遮光手段の遮光状態を解除する遮光解除手段とを備え、
前記遮光手段は、弾性を有する樹脂製基材の表面に配向性グラファイトシートまたは結晶性カーボンシートが接合されて構成されている
ていることを特徴とする顕微鏡装置。
【請求項４】
前記遮光手段は、前記ライトガイドが前記観察手段に接続されていないとき、弾性部材で付勢されて前記ライトガイドの光路を遮断する遮光部材であり、
前記遮光解除手段は、前記ライトガイドが前記観察手段に接続されたとき、前記弾性部材の付勢力に抗して前記遮光部材を前記ライトガイドの光路から退避させる遮光解除部材であることを特徴とする請求項３記載の顕微鏡装置。
【請求項５】
前記配向性グラファイトシートまたは結晶性カーボンシートは、熱伝導性樹脂により弾性を有する樹脂製基材の表面に接合されていることを特徴とする請求項１〜４のいずれか１項記載の照明装置または顕微鏡装置。
【発明の詳細な説明】
【技術分野】
【０００１】
この発明は照明装置及び顕微鏡装置に関する。
【背景技術】
【０００２】
従来の顕微鏡装置として特開２００６−１８９５７８号公報に記載されたものが知られている。この顕微鏡装置では、光源から出射された光束をライトガイドを介して顕微鏡本体に導く。
【０００３】
また、この顕微鏡装置では、観察用照明光として紫外光も使用される。紫外光は人体に吸収されるとさまざまな障害を引き起こすおそれがある。安全策を施した照明装置として、ライトガイドが光路から外されたとき光路を遮断する板ばねを備えているものが知られている。この照明装置によれば、光が外部へ漏れるのを防止することができる。
【先行技術文献】
【特許文献】
【０００４】
特開２００６−１８９５７８号公報
【発明の概要】
【発明が解決しようとする課題】
【０００５】
しかし、ライトガイドは顕微鏡本体にも接続されているため、誤ってライトガイドを顕微鏡本体から引き抜いてしまった場合、ライトガイドの出射端から紫外光が外部へ漏れるおそれがある。
【０００６】
この発明はこのような事情に鑑みてなされたもので、その課題は光が外部へ漏れるのを防止することができる照明装置及び顕微鏡装置を提供することである。
【課題を解決するための手段】
【０００７】
前述の課題を解決するため請求項１記載の発明は、観察対象物を観察する観察手段に接続可能であり、光源の照明光を前記観察手段に導くライトガイドと、
前記ライトガイドと前記観察手段との接続状態が解除されたとき、前記ライトガイドの光路を遮断する弾性を有する樹脂製遮光手段とを備え、前記遮光手段は、弾性を有する樹脂製基材の表面に配向性グラファイトシートまたは結晶性カーボンシートが接合されて構成されていることを特徴とする照明装置である。
【０００８】
請求項２記載の発明は、請求項１記載の照明装置において、前記ライトガイドと前記観察手段との接続状態を検知する検知手段と、前記検知手段の検知結果に基いて前記光源の出力又は遮光手段を制御する出力制御手段を備えていることを特徴とする。
【０００９】
請求項３記載の発明は、光源を有する照明手段と、観察対象物を観察する観察手段と、前記光源の照明光を前記観察手段に導くライトガイドとを備えている顕微鏡装置において、前記ライトガイドの一端部に設けられ、前記ライトガイドが前記観察手段に接続されているとき、前記ライトガイドの光路を開き、前記ライトガイドが前記観察手段に接続されていないとき、前記ライトガイドの光路を遮断する弾性を有する樹脂製遮光手段と、前記観察手段に設けられ、前記ライトガイドを前記観察手段に接続したとき、前記遮光手段の遮光状態を解除する遮光解除手段とを備え、前記遮光手段は、弾性を有する樹脂製基材の表面に配向性グラファイトシートまたは結晶性カーボンシートが接合されて構成されていることを特徴とする顕微鏡装置である。
【００１０】
請求項４記載の発明は、請求項３記載の顕微鏡装置において、前記遮光手段は、前記ライトガイドが前記観察手段に接続されていないとき、弾性部材で付勢されて前記ライトガイドの光路を遮断する遮光部材であり、前記遮光解除手段は、前記ライトガイドが前記観察手段に接続されたとき、前記弾性部材の付勢力に抗して前記遮光部材を前記ライトガイドの光路から退避させる遮光解除部材であることを特徴とする。
【００１１】
請求項５記載の発明は、請求項１〜４のいずれか１項記載の照明装置または顕微鏡装置において、前記配向性グラファイトシートまたは結晶性カーボンシートは、熱伝導性樹脂により弾性を有する樹脂製基材の表面に接合されていることを特徴とする。
【発明の効果】
【００１２】
この発明によれば、光が外部へ漏れるのを防止することができる。
【発明を実施するための形態】
【００１３】
以下この発明の実施の形態を図面に基づいて説明する。
【００１４】
図１はこの発明の第１実施形態に係る照明装置を備えた顕微鏡装置を側方から見た概  念図である。
【００１５】
この顕微鏡装置は顕微鏡本体Ｍと照明装置とからなる。顕微鏡本体（観察手段）Ｍは  、ベース部１と支柱部２と片持ちアーム３と焦準用上下動機構４と鏡筒５とステージ８  とを備えている。
【００１６】
ベース部１は内部に反射ミラー１ａ、照明用投光管１６等を備えている。
【００１７】
ベース部１にはライトガイドＯＦを介して照明装置１０が接続されている。このよう  な構成を採用することによって照明装置１０の熱が顕微鏡本体に伝わり難くなる。
【００１８】
片持ちアーム３の下部には対物レンズ６が取り付けられている。
【００１９】
接眼部５ａを有する鏡筒５は片持ちアーム３の上部に取り付けられている。
【００２０】
ランプハウス１０から出射された光はライトガイドＯＦ、照明用投光管１６を経て反  射ミラー１ａに入射する。光は反射ミラー１ａによってコンデンサレンズ７へ反射され  、コンデンサレンズ７を介してステージ８上の試料（観察対象物）Ｓに照射される。試  料Ｓを透過した光は対物レンズ６から観察光束結像系（図示せず）を通って接眼部５ａ  に導かれる。
【００２１】
図２（ａ）はライトガイドの出射端側端部に装着された円筒の断面を示す概念図、図  ２（ｂ）は図２（ａ）のｂ−ｂ線に沿う断面を示す概念図である。
【００２２】
ライトガイドＯＦの出射端側端部（一端部）は円筒２２に装着されている。口金部２  １は円筒２２の半径方向に形成された孔２２ａに挿入された止めビス２３によって円筒  ２２内に固定されている。
【００２３】
円筒２２の外周面には、後述する固定ビス２８（図４参照）の先端部の形状にほぼ対  応する断面形状の溝２２ｂが形成されている。
【００２４】
円筒２２の先端にはほぼ円筒状の遮光部材（遮光手段）２６が装着されている。遮光  部材２６にはライトガイドＯＦの出力側先端部から離れるにしたがって広がる漏斗状の  開口部２６ｃが形成されている。遮光部材２６は第１遮光部材２６ａと第２遮光部材２  ６ｂとに径方向へ２分されている。
【００２５】
遮光部材２６の外周面にはほぼ円筒状の板ばね２５が配置されている。板ばね２５の  付勢力によって第１遮光部材２６ａと第２遮光部材２６ｂとが密着し、ライトガイドＯ  Ｆの光路の遮光状態が保たれる。
【００２６】
ここで、第１遮光部材２６ａ及び第２遮光部材２６ｂは、弾性を有する樹脂製基材の表面に配向性グラファイトシートが熱伝導性樹脂により接合されて構成されているので、密着性、遮光性及び放熱性に優れている。
【００２７】
或いは、第１遮光部材２６ａ及び第２遮光部材２６ｂは、弾性を有する樹脂製基材の表面に結晶性カーボンシートが熱伝導性樹脂により接合されて構成されているので、遮光性、放熱性及び耐磨耗性に優れている。結晶性カーボンシートは、低摩耗特性及び放熱性を有する。
【００２８】
配向性グラファイトシートの熱伝導率は４００〜１７００Ｗ／（ｍ・Ｋ）であり、熱伝導性に優れた銅の熱伝導率は３９０Ｗ／（ｍ・Ｋ）を上回る特性を有している。また、配向性グラファイトシートの比重は銅の１／９である。よって、遮光部材の高放熱性と軽量化を実現できる。
【００２９】
熱伝導性樹脂としては、熱硬化性樹脂の中に熱伝導性に優れた無機フィラを分散させたものを用いることができる。無機フィラとしては、熱伝導性に優れたＡｌ2Ｏ3、ＭｇＯ、ＢＮ、ＳｉＣ、Ｓｉ3Ｎ4およびＡｌＮなどが好ましい。
【００３０】
また、熱硬化性樹脂としては、エポキシ樹脂、フェノール樹脂およびシアネート樹脂などが使用できる。
【００３１】
円筒２２の一端には遮光部材２６の脱落を防止するためのキャップ２４が板ばね２５を覆うように取り付けられている。キャップ２４には遮光部材２６の開口部２６ｃに相対する孔２４ｃが形成されている。孔２４ｃの径は開口部２６ｃの径より大きい。
【００３２】
図３は顕微鏡本体側に設けられるアダプタの一部の断面を示す概念図である。
【００３３】
アダプタ２７は筒状であり、その内径は円筒２２の外径よりもわずかに大きい。アダプタ２７の一端には円筒２２をアダプタ２７に固定するための固定ビス２８（図４参照）を通す孔２７ａが形成されている。
【００３４】
アダプタ２７の他端には、開口部２６ｃと係合可能な傾斜面を有する円錐台形状の遮光解除部材（遮光解除手段）２９が形成されている。
【００３５】
図４はライトガイドを顕微鏡本体に接続した状態の断面を示す概念図である。
【００３６】
円筒２２は孔２７ａに挿入された固定ビス２８によってアダプタ２７に固定されている。
【００３７】
円筒２２を介してライトガイドＯＦがアダプタ２７に挿入されたとき、遮光解除部材２９の傾斜面と遮光部材２６の傾斜面とが係合し、両傾斜面が相対的に移動し、第１遮光部材２６ａと第２遮光部材２６ｂとが板ばね２５の押圧力に抗して径方向へ分離し、ライトガイドＯＦの光路が開く。
【００３８】
この実施形態によれば、誤ってライトガイドＯＦがアダプタ２７から外れても、ライトガイドＯＦの光路を板ばね２５の押圧力によって第１遮光部材２６ａと第２遮光部材２６ｂとにより確実に遮光状態とすることができるので、光が外部へ漏れるのを防止することができる。また、本実施形態によれば、センサや電気的な配線等を用いずに、遮光部材２６の駆動を行うことができる。
【００３９】
図５はこの発明の第２実施形態に係る顕微鏡装置の照明装置と照明光学ユニットとの関係を示す斜視図であり、第１実施形態と共通する部分には同一符号を付してその説明を省略する。
【００４０】
照明装置（照明手段）４０と顕微鏡本体Ｍに用いられる照明光学ユニット３０とはライトガイドＯＦ及びケーブルＣＢを介して光学的及び電気的に接続されている。
【００４１】
照明光学ユニット３０は顕微鏡本体の一部を構成する。照明光学ユニット３０はレンズ３１ａ，３１ｂ，３１ｃ，３１ｄとミラー３１ｅと処理部３３とアダプタ２７とを備えている。レンズ３１ａ，３１ｂ，３１ｃ，３１ｄとミラー３１ｅとで照明光を標本（図示せず）に照射するための照明光学系が構成される。なお、ミラー３１ｅは照明光を下方へ反射させる配置となっているが、ミラー３１ｅの配置を変えてもよい。
【００４２】
アダプタ２７内には照明光学ユニット３０に対するライトガイドＯＦの接続状態を検出するセンサ３２（検知手段）が設けられている。センサ３２は例えば圧接センサである。
【００４３】
処理部３３は、センサ３２から出力された検出信号に基づいてライトガイドＯＦの接続状態を示す信号をケーブルＣＢを介して後述する照明装置４０側に設けられた電源処理回路（出力制御回路）４６へ出力する。
【００４４】
照明装置４０は光源４１と電源処理回路４６と遮光板（遮光手段）４２とモータ４３と板ばね４５とを備えている。
【００４５】
光源４１はランプ（図示せず）と放射面形状の凹面鏡４１ａとで構成される。
【００４６】
電源処理回路４６はＣＰＵやメモリ等で構成される。電源処理回路４６は処理部３３からの信号に基づいて光源４１へ供給する電力のオン、オフを制御する。
【００４７】
板ばね４５は、ライトガイドＯＦの入力側端部に装着された円筒４７が照明装置４０の図示しないアダプタに装着されていないとき、ライトガイドＯＦの光路を遮断する。また、板ばね４５は、ライトガイドＯＦの入力側端部の円筒４７が照明装置４０に装着されたとき、円筒４７によって押され、ライトガイドＯＦの光路が開かれる。ライトガイドＯＦの入力側端部は光源４１から出射された光が集光する位置にある。
【００４８】
遮光板４２は光源４１とライトガイドＯＦの入力側端部との間の光路に選択的に配置可能である。遮光板４２は樹脂製の管状部材４８を介してモータ４３の回転軸に接続されている。管状部材４８はモータ４３の回転軸に固定されている。
【００４９】
光源４１、電源処理回路４６、遮光板４２、モータ４３及び、板ばね４５は筐体４９内に収容されている。円筒４７の一端部（板ばね４５側）は筐体４９内に収容され、他端部（板ばね４５の反対側）は筐体４９外へ突出している。
【００５０】
次に、上記顕微鏡装置の動作を説明する。
【００５１】
ライトガイドＯＦをアダプタ２７に挿入し、ライトガイドＯＦと照明装置４０とが接続状態になったとき、ライトガイドＯＦが照明装置４０に接続されたことがセンサ３２で検出される。センサ３２から出力された検出信号に基づいて処理部３３からライトガイドＯＦが接続状態であることを示す接続信号が出力される。処理部３３から接続信号を入力した電源処理回路４６は光源４１に電力を供給する。また、電源処理回路４６は遮光板４２が光源４１の光路上から退避するようにモータ４３を駆動する。その結果、ライトガイドＯＦ、照明光学系を介して照明光が試料Ｓ（図１参照）に照射される。
【００５２】
また、ライトガイドＯＦがアダプタ２７から外れ、ライトガイドＯＦと照明装置４０との接続状態が解除されたとき、ライトガイドＯＦが外れたことがセンサ３２で検出される。センサ３２から出力された非接続信号に基づいて処理部３３からライトガイドＯＦが外れていることを示す非接続信号が出力される。処理部３３から非接続信号を入力した電源処理回路４６は光源４１への電力の供給を止める。
【００５３】
更に、ライトガイドＯＦが照明装置４０から外れたとき、板ばね４５によって光路が遮断される。この板ばね４５による光路の遮断のみでもよいが、より安全性を考慮し、電源処理回路４６は遮光板４２が光路上に移動するようにモータ４３を駆動する。
【００５４】
なお、電源処理回路４６は、処理部３３からの信号が入力されないとき、ケーブルＣＢが処理部３３及び電源処理回路４６の一方又は両方から外れたと判断して光源４１への電力の供給を止める。
【００５５】
この実施形態によれば、第１実施形態と同様の効果を奏する。また、ライトガイドＯＦが照明装置４０から外れたときも光路は遮断されるので、照明装置４０から光が外部へ漏れるのを防止することができる。
【００５６】
なお、上記実施形態ではアダプタ２７を介して照明光学ユニット３０の照明光学系にライトガイドＯＦを接続したが、照明光学系の入力側端部にセンサ３２を設けておけばアダプタ２７は必要ではなく、アダプタ２７がなくても上記効果と同様の効果を得ることができる。
【００５７】
また、上記実施形態ではライトガイドＯＦとケーブルＣＢとを別部品としたが、ライトガイドＯＦとケーブルＣＢとを一つに束ねてもよい。
【００５８】
更に、本発明は、光源４１として紫外光を発生させるものを採用した場合、特に有効である。
【図面の簡単な説明】
【００５９】
【図１】図１はこの発明の第１実施形態に係る照明装置を備えた顕微鏡装置を側方から見た概念図である。
【図２】図２（ａ）はライトガイドの出射端側端部に装着された円筒の断面を示す概念図、図２（ｂ）は図２（ａ）のｂ−ｂ線に沿う断面を示す概念図である。
【図３】図３は顕微鏡本体側に設けられるアダプタの一部の断面を示す概念図である。
【図４】図４はライトガイドを顕微鏡本体に接続した状態の断面を示す概念図である。
【図５】図５はこの発明の第２実施形態に係る顕微鏡装置の照明装置と照明光学ユニットとの関係を示す斜視図である。
【符号の説明】
【００６０】
１：ベース部、２：支柱部、３：片持ちアーム、４：焦準用上下動機構、５：鏡筒、８：ステージ、２６：遮光部材（遮光手段）、２６ａ：第１遮光部材、２６ｂ：第２遮光部材、２９：遮光解除部材（遮光解除手段）、３２：センサ（検知手段）、４０：照明装置（照明手段）、４１：光源、４６：電源処理回路（出力制御手段）、ＯＦ：ライトガイド、Ｍ：顕微鏡本体（観察手段）、Ｓ：試料（観察対象物）。
【図１】
2009271507.tif 000003
【図２】
2009271507.tif 000004
【図３】
2009271507.tif 000005
【図４】
2009271507.tif 000006
【図５】
2009271507.tif 000007